(57)【要約】【課題】  衛生手袋がずれたり、抜けたりせず、特に指先のフィット感を向上することができる抜け止め具を提供する。【解決手段】  衛生手袋を装着した手の甲側に位置するベースと、該ベースの一側縁に設けられ、手首または掌に引っ掛けることができる伸縮自在な第一リングと、前記ベースの他側縁に設けられ、少なくとも１本の指の股に引っ掛けることができる伸縮自在な第二リングとからなる。本抜け止め具は衛生手袋の上から第一リングと第二リングとが引っ張り合うように装着されるため、第二リングが指の股に食い込み衛生手袋のずれや抜けを防止する。第二リングは、親指・中指および小指それぞれに対応する３つの独立したリングからなる。全体が伸縮性シートから成形され、一枚の伸縮性シートを打ち抜き加工により得ることもある。【選択図】        図１
2006009193.tif 000002
【特許請求の範囲】
【請求項１】
衛生手袋を装着した手の甲側に位置するベースと、該ベースの一側縁に設けられ、手首または掌に引っ掛けることができる伸縮自在な第一リングと、前記ベースの他側縁に設けられ、少なくとも１本の指の股に引っ掛けることができる伸縮自在な第二リングとからなることを特徴とする手袋の抜け止め具。
【請求項２】
第二リングは、親指・中指および小指それぞれに対応する３つの独立したリングからなる請求項１記載の手袋の抜け止め具。
【請求項３】
全体が伸縮性シートから成形される請求項１または２記載の手袋の抜け止め具。
【請求項４】
一枚の伸縮性シートを打ち抜き加工により得られる請求項１、２または３記載の手袋の抜け止め具。
【発明の詳細な説明】
【技術分野】
【０００１】
この発明は、弁当の製造工場などで使用される例えば衛生手袋の抜け止め具に関するものである。
【背景技術】
【０００２】
弁当などの製造工場では作業員は使い捨ての衛生手袋を着用して作業を行う。この衛生手袋はＳ・Ｍ・Ｌというように幾つかのサイズが用意され、作業員は自身の手の大きさにあったサイズの衛生手袋を選んで着用する。また、弁当工場などでは食品を直接摘んだりする関係上、その触感を担保するため、その素材は薄手ものが採用される。
【発明の開示】
【発明が解決しようとする課題】
【０００３】
しかしながら、上述した従来の衛生手袋は、同じ使い捨てであり、薄手の素材よりなる医療用手袋とは異なり、大量生産に有利な廉価な素材から成形されることが多く、例えば素材がポリプロピレンである場合、当該衛生手袋は伸縮性を有しないため、作業員はやや大きめのサイズを選択することになる。これに加えて、ポリプロピレンは肌に対して滑りやすいため、作業中に衛生手袋がずれたり、抜けたりしやすいものであった。
【０００４】
こうした不具合を解消するため、作業員において衛生手袋の手首を輪ゴムで縛るなどの工夫もなされていたが、手首のみを固定しても指先のフィット感は得られないし、このような状態を長時間続けると輪ゴムによる止血作用が起きて指先がしびれるなど、いずれにしても着用感を向上させるには至らない。
【０００５】
本発明は上述した課題を解決するためになされたもので、その目的とするところは、衛生手袋がずれたり、抜けたりせず、特に指先のフィット感を向上することができる抜け止め具を提供することである。
【課題を解決するための手段】
【０００６】
上述した目的を達成するため本発明では、衛生手袋を装着した手の甲側に位置するベースと、該ベースの一側縁に設けられ、手首または掌に引っ掛けることができる伸縮自在な第一リングと、前記ベースの他側縁に設けられ、少なくとも１本の指の股に引っ掛けることができる伸縮自在な第二リングとから抜け止め具を構成するという手段を用いた。この手段によれば、本抜け止め具は衛生手袋の上から第一リングと第二リングとが引っ張り合うように装着されるため、第二リングが指の股に食い込み衛生手袋のずれや抜けを防止する。なお、第一リングは手首または掌の何れかに引っ掛けられる輪状に成形されればよく、手首または掌を止血するほどの伸縮性までは必要としない。
【０００７】
一方、第二リングは少なくとも１本の指を対象とするが、２本以上の指を対象に、その数に応じた輪から構成することもできる。具体的には、親指・中指および小指それぞれに対応する３つの独立したリングから第二リングを構成することも可能である。この場合、五指の股全てに第二リングが引っ掛けられることになる。
【０００８】
なお、本発明ではベースを除く、少なくとも第一リングと第二リングが伸縮性を有していればよいが、全体を伸縮性シートから成形してもよく、例えば一枚の伸縮性シートを打ち抜き加工することによって、本発明の抜け止め具を容易に製造することができる。
【発明の効果】
【０００９】
上述したように本発明では、衛生手袋を装着した手の甲側に位置するベースと、該ベースの一側縁に設けられ、手首または掌に引っ掛けることができる伸縮自在な第一リングと、前記ベースの他側縁に設けられ、少なくとも１本の指の股に引っ掛けることができる伸縮自在な第二リングとから抜け止め具を構成したので、衛生手袋の上から装着することによって衛生手袋のずれや抜けを防止することができる。このとき第一リングと第二リングは引っ張り合う力が殆どであるから、第一リングが手首を過剰に締め付けることもなく、また第二リングは指の股に引っ掛けられるだけであるから、指先の動きを阻害することもなく、非常に装着感に優れる。また、親指・中指および小指それぞれに対応する３つのリングから第二リングを構成したものにあっては、五指の股全てに第二リングが引っ掛けられることになるから、より確実に衛生手袋のずれや抜けが防止され、さらに全部の指先についてフィット感が向上する。さらに、全体を伸縮性シートから成形したものにあってはベースも伸縮性を有することになるから、指や手首の曲げ伸ばし等、手の動きに対する追従性が高まり、より装着感・使用感が向上すると共に、一枚の伸縮性シートを打ち抜き加工することによって、本発明の抜け止め具を容易に得ることができる。
【発明を実施するための最良の形態】
【００１０】
以下、本発明の好ましい実施の形態を添付した図面に従って説明する。図１は、本発明の一実施形態に係る抜け止め具の展開図を示したものであり、同図中、１は手の甲側に位置するベース、２は該ベース１の一側縁に設けられた第一リング、３・４・５は前記ベース１の他側縁に設けられた第二リングである。この抜け止め具は、一枚の伸縮性シートを打ち抜いて得たものであり、第一リング２は手首または掌に伸縮自在に引っ掛けられ、第二リング３・４・５は三本の指の股それぞれに伸縮自在に引っ掛けられるものである。
【００１１】
なお、本抜け止め具の素材は天然ゴムや合成ゴムを選択することができるが、伸縮性を有するものであれば、特に限定するものではない。また、本実施形態では打ち抜き加工により成形する方法を例示したが、少なくとも第一リングおよび第二リングが伸縮性を有するものであれば、その成形方法もこれに限定されない。
【００１２】
図２は、上述した抜け止め具の装着時態様を示したものである。つまり、この抜け止め具は、衛生手袋を装着した手に適用されるもので、先ず第一リング２を手首に引っ掛けた後、第二リング３を親指に、第二リング４を中指に、第二リング５を小指に、それぞれ引っ掛けることにより装着する。このような装着態様によって、第二リング３・４・５は五指の股全てに食い込むように引っ掛けられ、ベース１を介し、第一リング２との間で引っ張り合うようにして、前記指の股に食い込む。よって、衛生手袋がずれたり抜けたりすることはないのはもちろんのこと、五指全てについて指先のフィット感が向上する。
【００１３】
なお、上記実施形態では第一リング１を手首に引っ掛けることとしたが、掌であってもよい。また第二リングは、３つの独立した輪（リング）から構成したが、少なくとも１つのリングから第二リングを構成すればよく、指の本数に応じて最大５つの独立した輪から構成することもできる。
【図面の簡単な説明】
【００１４】
【図１】本発明の一実施形態に係る抜け止め具の展開図
【図２】同抜け止め具の装着図
【符号の説明】
【００１５】
１  ベース
２  第一リング
３  第二リング（親指に対応）
４  第二リング（中指に対応）
５  第二リング（小指に対応）
【図１】
2006009193.tif 000003
【図２】
2006009193.tif 000004
【手続補正書】
【提出日】平成17年9月2日(2005.9.2)
【手続補正１】
【補正対象書類名】明細書
【補正対象項目名】００１２
【補正方法】変更
【補正の内容】
【００１２】
図２は、上述した抜け止め具の装着時態様を示したものである。つまり、この抜け止め具は、衛生手袋を装着した手に適用されるもので、先ず第一リング２を手首に引っ掛けた後、第二リング３を親指に、第二リング４を中指に、第二リング５を小指に、それぞれ引っ掛けることにより装着する。このような装着態様によって、第二リング３・４・５は三指の股全てに食い込むように引っ掛けられ、ベース１を介し、第一リング２との間で引っ張り合うようにして、前記指の股に食い込む。よって、衛生手袋がずれたり抜けたりすることはないのはもちろんのこと、五指全てについて指先のフィット感が向上する。
【手続補正２】
【補正対象書類名】明細書
【補正対象項目名】００１３
【補正方法】変更
【補正の内容】
【００１３】
なお、上記実施形態では第一リング２を手首に引っ掛けることとしたが、掌であってもよい。また第二リングは、３つの独立した輪（リング）から構成したが、少なくとも１つのリングから第二リングを構成すればよく、指の本数に応じて最大５つの独立した輪から構成することもできる。